(57)【要約】  脳機能障害評価装置１００は、身体運動提示装置２により実施すべき身体運動を被験者に提示する身体運動指示部１０と、身体運動検出センサ３により被験者がした身体運動データを取得する身体運動データ取得部２０と、その取得した身体運動データから、被験者の身体運動の位置正確度および時系列正確度を算出する身体運動正確度算出部３０と、その算出された位置正確度および時系列正確度から得られる被験者の身体運動の正確度を表す値を、健常者の身体運動の正確度を表す統計データと比較することにより、被験者の認知障害度を評価する認知障害度評価部４０と、を備える。
2015037089.tif 000002
【特許請求の範囲】
【請求項１】
被験者にさせる身体運動を提示する身体運動提示装置と、前記提示された身体運動に応じて前記被験者がした身体運動の身体運動データを検出する身体運動検出センサと、に接続されたデータ処理装置が、
前記被験者に実施させる身体運動指示データを生成し、前記生成した身体運動指示データに基づく身体運動を、前記身体運動提示装置を介して前記被験者に提示し、その実施を指示する身体運動指示ステップと、
前記被験者がした身体運動の身体運動データを、前記身体運動検出センサを介して時系列に取得する身体運動データ取得ステップと、
前記身体運動指示データと前記身体運動データとに基づき、前記被験者の身体運動の位置正確度および時系列正確度を算出する身体運動正確度算出ステップと、
前記算出された位置正確度および時系列正確度から求められる前記被験者の身体運動の正確度を表す値を、予め取得された健常者の身体運動の正確度を表す統計データと比較することにより、前記被験者の認知障害度を評価する認知障害度評価ステップと、
を実行すること
を特徴とする脳機能障害評価方法。
【請求項２】
前記データ処理装置は、
前記身体運動指示ステップにおいて、前記被験者が個別に有する視覚、聴覚および運動能力の少なくとも１つの能力を取得するための身体運動を提示する第１の処理と、
前記身体運動データ取得ステップにおいて、前記第１の処理により提示した身体運動に従って前記被験者がした身体運動の身体運動データを、前記被験者の前記視覚、聴覚および運動能力の少なくとも１つの能力の影響を排除したキャリブレーションデータとして取得する第２の処理と、
をさらに実行すること
を特徴とする請求項１に記載の脳機能障害評価方法。
【請求項３】
前記データ処理装置は、
前記認知障害度評価ステップで評価した前記被験者の認知障害度のデータおよびその経時変化のデータの少なくとも一方を、出力装置に出力すること
を特徴とする請求項１に記載の脳機能障害評価方法。
【請求項４】
前記データ処理装置は、
前記身体運動指示ステップでは、前記被験者が２つの指を前記身体運動検出センサにタッチさせたままその２つの指を開閉する身体運動を、前記身体運動提示装置に提示すること
を特徴とする請求項１に記載の脳機能障害評価方法。
【請求項５】
前記データ処理装置は、
前記身体運動指示ステップでは、前記被験者の視覚を刺激する図形を前記身体運動提示装置に表示する処理および前記被験者の聴覚を刺激する音声を前記身体運動提示装置から出力する処理の少なくとも一方を実行するとともに、前記の刺激に応答して前記被験者が前記身体運動検出センサにタッチする身体運動を、前記身体運動提示装置に提示する処理を実行すること
を特徴とする請求項１に記載の脳機能障害評価方法。
【請求項６】
前記データ処理装置は、
前記身体運動指示ステップでは、移動する図形を前記身体運動提示装置に提示するとともに、前記被験者が前記身体運動検出センサに指をタッチさせたまま前記移動する図形を追跡する身体運動を、前記身体運動提示装置に提示すること
を特徴とする請求項１に記載の脳機能障害評価方法。
【請求項７】
被験者にさせる身体運動を提示する身体運動提示装置と、前記提示された身体運動に応じて前記被験者がした身体運動の実施データを検出する身体運動検出センサと、に接続されたデータ処理装置に、
前記被験者に実施させる身体運動指示データを生成し、前記生成した身体運動指示データに基づく身体運動を、前記身体運動提示装置を介して前記被験者に提示し、その実施を指示する身体運動指示ステップと、
前記被験者がした身体運動の身体運動データを、前記身体運動検出センサを介して時系列に取得する身体運動データ取得ステップと、
前記身体運動指示データと前記身体運動データとに基づき、前記被験者の身体運動の位置正確度および時系列正確度を算出する身体運動正確度算出ステップと、
前記算出された位置正確度および時系列正確度から求められる前記被験者の身体運動の正確度を表す値を、予め取得された健常者の身体運動の正確度を表す統計データと比較することにより、前記被験者の認知障害度を評価する認知障害度評価ステップと、
を実行させるためのプログラム。
【請求項８】
前記データ処理装置に、
前記身体運動指示ステップにおいて、前記被験者が個別に有する視覚、聴覚および運動能力の少なくとも１つの能力を取得するための身体運動を提示する第１の処理と、
前記身体運動データ取得ステップにおいて、前記第１の処理により提示した身体運動に従って前記被験者がした身体運動の身体運動データを、前記被験者の前記視覚、聴覚および運動能力の少なくとも１つの能力の影響を排除したキャリブレーションデータとして取得する第２の処理と、
をさらに実行させること
を特徴とする請求項７に記載のプログラム。
【請求項９】
前記データ処理装置に、
前記認知障害度評価ステップで評価した前記被験者の認知障害度のデータおよびその経時変化のデータの少なくとも一方を、出力装置に出力するステップ
をさらに実行させること
を特徴とする請求項７に記載のプログラム。
【請求項１０】
前記データ処理装置に、
前記身体運動指示ステップでは、前記被験者が２つの指を前記身体運動検出センサにタッチさせたままその２つの指を開閉する身体運動を、前記身体運動提示装置に提示する処理を実行させること
を特徴とする請求項７に記載のプログラム。
【請求項１１】
前記データ処理装置に、
前記身体運動指示ステップでは、前記被験者の視覚を刺激する図形を前記身体運動提示装置に表示する処理および前記被験者の聴覚を刺激する音声を前記身体運動提示装置から出力する処理の少なくとも一方を実行させるとともに、前記の刺激に応答して前記被験者が前記身体運動検出センサにタッチする身体運動を、前記身体運動提示装置に提示する処理を実行させること
を特徴とする請求項７に記載のプログラム。
【請求項１２】
前記データ処理装置に、
前記身体運動指示ステップで、移動する図形を前記身体運動提示装置に提示するとともに、前記被験者が前記身体運動検出センサに指をタッチさせたまま前記移動する図形を追跡する身体運動を、前記身体運動提示装置に提示する処理を実行させること
を特徴とする請求項７に記載のプログラム。
【請求項１３】
被験者にさせる身体運動を提示する身体運動提示装置と、
前記提示された身体運動に応じて前記被験者がした身体運動の身体運動データを検出する身体運動検出センサと、
前記身体運動提示装置と前記身体運動検出センサとに接続されたデータ処理装置と、
を備え、
前記データ処理装置は、
前記被験者に実施させる身体運動指示データを生成し、前記生成した身体運動指示データに基づく身体運動を、前記身体運動提示装置を介して前記被験者に提示し、その実施を指示する身体運動指示部と、
前記被験者がした身体運動の身体運動データを、前記身体運動検出センサを介して時系列に取得する身体運動データ取得部と、
前記身体運動指示データと前記身体運動データとに基づき、前記被験者の身体運動の位置正確度および時系列正確度を算出する身体運動正確度算出部と、
前記算出された位置正確度および時系列正確度から求められる前記被験者の身体運動の正確度を表す値を、予め取得された健常者の身体運動の正確度を表す統計データと比較することにより、前記被験者の認知障害度を評価する認知障害度評価部と、
を有すること
を特徴とする脳機能障害評価装置。
【請求項１４】
前記データ処理装置は、さらに、
前記身体運動指示部の処理として、前記被験者が個別に有する視覚、聴覚および運動能力の少なくとも１つの能力を取得するための身体運動を提示する第１の処理を実行し、
前記身体運動データ取得部の処理として、前記第１の処理で提示された身体運動に従って前記被験者がした身体運動の身体運動データを、前記被験者の前記視覚、聴覚および運動能力の少なくとも１つの能力の影響を排除したキャリブレーションデータとして取得する第２の処理を実行すること
を特徴とする請求項１３に記載の脳機能障害評価装置。
【請求項１５】
前記身体運動提示装置と、前記身体運動検出センサと、前記身体運動指示部および前記身体運動データ取得部とを有する第１のデータ処理装置と、備えてなる端末装置と、
前記身体運動正確度算出部と前記認知障害度評価部とを有する第２のデータ処理装置を備えてなるサーバ装置と、
が互いに通信可能に接続されて構成されること
を特徴とする請求項１３に記載の脳機能障害評価装置。
【発明の詳細な説明】
【技術分野】
【０００１】
本発明は、本発明は、認知機能低下を初めとする脳機能障害の程度を評価する技術に関する。
【背景技術】
【０００２】
近年、高齢化社会の進行に伴い、認知症の患者数が増大し、現在、国内には２００万人もの認知症患者がいると言われている。認知症では、記憶障害、見当識障害、学習障害などが生じ、日常生活に大きな支障を来たす。また、暴言、暴力、徘徊、不潔行為などの問題行動が見られる場合もある。さらに、末期には、小刻み歩行や前傾姿勢などの運動障害が表れ、最終的には寝たきり状態に陥る。【０００３】
認知症には、アルツハイマー型認知症、脳血管性認知症、レビー小体型認知症の三大認知症の他、パーキンソン病などの運動障害や、うつ病や統合失調症などの精神疾患に併発して認知機能が低下する場合がある。診断により認知症の種類を特定できると、それに合わせた薬物療法等の適切な治療が可能となる。いずれの種類の認知症も早期に発見し、適切な薬を投与することで、軽度の状態で進行を抑制できる。これらのことから、認知症になる可能性の高い健常高齢者を対象に、認知症を早期に発見するためのスクリーニング検査が必要である。【０００４】
認知症の診断は、長谷川式スケールやＭＭＳＥ（Mini Mental State Examination）などのように、記憶、判断などの認知機能を調べる検査が主流である。しかしながら、これらの診断方法は、医師が対面で数分〜数１０分かけて行うもので、多数の被験者を対象にしたスクリーニング検査に適しているとは言えない。【０００５】
また、ＣＴ（Computed Tomography）、ＭＲＩ（Magnetic Resonance Imaging）を用いて脳の萎縮の有無を調べる方法や、ＳＰＥＣＴ（Single Photon Emission Computed Tomography）、ＰＥＴ（Positron Emission Tomography）を用いて認知症の原因物質であるアミロイドベータの蓄積状況を調べる方法など脳画像計測による診断も行われている。しかしながら、これらの脳画像計測は、検査費が高額で、検査時間も長くかかるため、多数の被験者を対象にしたスクリーニング検査に適しているとは言えない。【０００６】
このような問題を考慮して、例えば特許文献１、特許文献２、非特許文献１などには、タッチパネルセンサ付のタブレットコンピュータを用いることにより、医師に頼らず、被験者の認知機能を簡易的に評価する評価システムの例が開示されている。
【先行技術文献】
【特許文献】
【０００７】
【特許文献１】特開２０１２−２１７７９７号公報
【特許文献２】特開２０１１−０８３４０３号公報
【非特許文献】
【０００８】
【非特許文献１】Robbins T. W. , 他５名，“Cambridge Neuropsychological Test Automated Battery (CANTAB): a factor analytic study of a large sample of normal elderly volunteers”，Dementia and Geriatric Cognitive Disorders，Switzerland，1994，Vol.5, No.5, pp.266-281
【発明の概要】
【発明が解決しようとする課題】
【０００９】
特許文献１、特許文献２、非特許文献１などに開示されている簡易的な認知機能の評価システムは、表示画面に表示され、その後消去されたオブジェクトの名称、形状、数などを被験者がどの程度記憶しているか否かを検査するものである。すなわち、従来の認知機能の評価システムは、被験者の記憶能力あるいは記憶に関連する判断能力などを評価するものに偏っている。とくに、被験者の身体の運動能力については評価されていない。【００１０】
一般に、認知機能に障害を受けると、四肢の協調動作や、外部刺激に追従した身体運動が困難になると考えられている。そして、このような身体運動の機能低下は、とくに巧緻性の高い運動を行う手指で早期に観察されやすい。そのため、手指の運動を電子機器で計測すれば、その結果に基づき認知症を早期に発見できる可能性がある。【００１１】
そこで、本発明は、認知機能低下をはじめとする脳機能障害の程度を容易に評価することが可能な脳機能障害評価方法、脳機能障害評価装置およびそのプログラムを提供することにある。
【課題を解決するための手段】
【００１２】
本発明に係る脳機能障害評価方法は、被験者にさせる身体運動を提示する身体運動提示装置と、前記提示された身体運動に応じて前記被験者がした身体運動の身体運動データを検出する身体運動検出センサと、に接続されたデータ処理装置が、前記被験者に実施させる身体運動指示データを生成し、前記生成した身体運動指示データに基づく身体運動を、前記身体運動提示装置を介して前記被験者に提示し、その実施を指示する身体運動指示ステップと、前記被験者がした身体運動の身体運動データを、前記身体運動検出センサを介して時系列に取得する身体運動データ取得ステップと、前記身体運動指示データと前記身体運動データとに基づき、前記被験者の身体運動の位置正確度および時系列正確度を算出する身体運動正確度算出ステップと、前記算出された位置正確度および時系列正確度から求められる前記被験者の身体運動の正確度を表す値を、予め取得された健常者の身体運動の正確度を表す統計データと比較することにより、前記被験者の認知障害度を評価する認知障害度評価ステップと、を実行することを特徴とする。
【発明の効果】
【００１３】
本発明によれば、認知機能低下をはじめとする脳機能障害の程度を容易に評価することが可能な脳機能障害評価方法、脳機能障害評価装置およびそのプログラムを提供することができる。
【図面の簡単な説明】
【００１４】
【図１】本発明の実施形態に係る脳機能障害評価装置全体構成の例を示した図。
【図２】脳機能障害評価プログラム起動時に表示される被験者登録情報表示画面の例を示した図。
【図３】身体運動タスク選択部により表示される身体運動タスク選択画面の例を示した図
【図４】指示データ提示部により身体運動提示装置に提示されるリーチングタスク指示画面の例を示した図
【図５】指示データ提示部により身体運動提示装置に提示されるリーチングタスク指示画面の変形例を示した図。
【図６】多変量解析を用いて認知障害度を評価する例を模式的に示した図。
【図７】図６に示した認知障害度Ｓを評価する例の変形例を模式的に示した図。
【図８】キャリブレーション部により身体運動提示装置に提示されるキャリブレーション指示画面の例を示した図で、（ａ）は、視覚キャリブレーション用、（ｂ）は、聴覚キャリブレーション用、（ｃ）は、運動能力キャリブレーション用の指示画面の例。
【図９】ある被験者の認知障害度の経時変化グラフの例を示した図。
【図１０】身体運動提示装置に提示される聴覚刺激による片手リズムタッチタスク指示画面の例を示した図。
【図１１】身体運動提示装置に提示される聴覚刺激による両手リズムタッチタスク指示画面の例を示した図。
【図１２】身体運動提示装置に提示される聴覚刺激による両手交互リズムタッチタスク指示画面の例を示した図。
【図１３】身体運動提示装置に提示される視覚刺激による片手リズムタッチタスク指示画面の例を示した図。
【図１４】身体運動提示装置に提示される視覚刺激による両手リズムタッチタスク指示画面の例を示した図。
【図１５】身体運動提示装置に提示される視覚刺激による両手交互リズムタッチタスク指示画面の例を示した図。
【図１６】身体運動提示装置に提示されるメトロノーム型リズムタッチタスク指示画面の例を示した図。
【図１７】身体運動提示装置に提示される片手開閉指タップタスク指示画面の例を示した図。
【図１８】身体運動提示装置に提示される両手開閉指タップタスク指示画面の例を示した図。
【図１９】身体運動提示装置に提示される両手交互開閉指タップタスク指示画面の例を示した図。
【図２０】開閉指タップタスクが行われる場合に作成される２指間距離Ｌ（ｔ）の時間推移グラフの例を示した図。
【図２１】身体運動提示装置に提示される５指タッチタスク指示画面の例を示した図。
【図２２】５指タッチタスクの一使用例を説明する図。
【図２３】身体運動提示装置に提示される追跡タスク指示画面の例を示した図。
【図２４】追跡ターゲット図形の位置座標と被験者のタッチ位置座標との関係を、模式的な時間推移変化グラフの例として示した図であり、（ａ）は、Ｘ座標の時間推移変化の例、（ｂ）は、Ｙ座標の時間推移変化の例。
【図２５】本発明の実施形態の変形例に係る脳機能障害評価装置の全体構成の例を示した図。
【発明を実施するための形態】
【００１５】
以下、本発明を実施するための形態（以下「実施形態」という）について、図面を参照して詳細に説明する。
なお、以下に説明する実施形態では、脳機能障害とは、いわゆる認知機能低下を発症するもの全般（アルツハイマー型認知症、脳血管性認知症、レビー小体型認知症、パーキンソン病、水頭症、うつ病、統合失調症など）を総称するものするが、脳卒中などによる運動障害などを含む。そして、実施形態の説明では、脳機能障害を単に認知症という場合もある。
【００１６】
＜１．脳機能障害評価装置１００の構成＞
図１は、本発明の実施形態に係る脳機能障害評価装置１００の全体構成の例を示した図である。図１に示すように、本発明の実施形態に係る脳機能障害評価装置１００は、図示しないＣＰＵ（Central Processing Unit）やメモリを含んでなるデータ処理装置１に、身体運動提示装置２、身体運動検出センサ３、操作入力装置４、出力装置５、記憶装置６などが結合されて構成される。
【００１７】
ここで、身体運動提示装置２は、例えば、液晶表示装置や音声出力装置（スピーカ）などにより構成される。
また、身体運動検出センサ３は、前記の液晶表示装置に付設されたタッチパネルセンサ（画面接触型センサ）により構成される。
また、操作入力装置４は、例えば、キーボードやマウスなどによって構成されるが、タッチパネルセンサにより構成されてもよく、その場合、操作入力装置４は、身体運動検出センサ３を兼ねるものであってもよい。
また、出力装置５は、例えば、液晶表示装置やプリンタなどにより構成され、身体運動提示装置２を兼ねるものであってもよい。
また、記憶装置６は、ハードディスク装置やＳＳＤ（Solid State Disk）などにより構成され、予め格納することが定められたデータやプログラムを記憶する。
【００１８】
また、データ処理装置１は、図示しないＣＰＵが図示しないメモリに記憶されたプログラムを実行することによって具現化される、身体運動指示部１０、身体運動データ取得部２０、身体運動正確度算出部３０、認知障害度評価部４０などの機能ブロックを有している。なお、ここでいうメモリは、半導体メモリのＲＡＭ（Random Access Memory）などで構成される。メモリには、必要に応じて、実行されるプログラムが記憶装置６から読み出されロードされ、また、演算処理中のデータが記憶される。
【００１９】
次に、データ処理装置１を構成する各機能ブロックの概要について説明しておく（詳細後記）。
【００２０】
身体運動指示部１０は、下位の機能ブロックとして、身体運動タスク選択部１１、指示データ生成部１２、指示データ提示部１３などを含んで構成される。
身体運動タスク選択部１１は、出力装置５（液晶表示装置など）に予め準備されている身体運動タスクの一覧を表示して（後記する図３を参照）、被験者またはその介助者による操作入力装置４の入力操作に基づき、実施する身体運動タスクを選択する。
指示データ生成部１２は、選択された身体運動タスクに応じて、被験者に提示する時系列の身体運動指示データを生成する。
指示データ提示部１３は、生成された時系列の身体運動指示データ、つまり、被験者が実施すべき身体運動の内容を、身体運動提示装置２（液晶表示装置や音声出力装置など）を介して被験者に提示する。
【００２１】
身体運動データ取得部２０は、下位の機能ブロックとして、検出データ取得部２１、キャリブレーション部２２などを含んで構成される。
検出データ取得部２１は、身体運動提示装置２に提示された身体運動の内容に応じて、被験者が実施した身体運動のデータ（例えば、身体の特定部位の位置、移動速度、加速度、検出時刻など）を、身体運動検出センサ３などを介して所定の時間間隔（例えば、１０ミリ秒）で取得する。すなわち、検出データ取得部２１は、被験者の身体運動の時系列データを取得する。
キャリブレーション部２２は、認知障害に依存しない被験者それぞれの固有の聴覚、視覚、運動能力のデータを取得し、取得したデータから被験者ごとのキャリブレーションデータを計算し、記憶装置６に格納する。
【００２２】
身体運動正確度算出部３０は、下位の機能ブロックとして、指示・検出データ比較部３１、位置正確度算出部３２、時系列正確度算出部３３などを含んで構成される。
指示・検出データ比較部３１は、身体運動提示装置２（液晶表示装置など）に提示された被験者が実施すべき身体運動のデータと、身体運動検出センサ３を介して取得された被験者がした身体運動のデータと、を比較する。
位置正確度算出部３２は、指示・検出データ比較部３１によって得られた位置に関する指示データと被験者の身体運動の検出データとの差分データに基づき、被験者の身体運動の位置正確度を算出する。
また、時系列正確度算出部３３は、指示・検出データ比較部３１によって得られた指示データの指示タイミングと検出データの検出タイミングの差分データに基づき、被験者の身体運動の時系列正確度を算出する。
【００２３】
認知障害度評価部４０は、下位の機能ブロックとして、認知障害度算出部４１、認知障害度出力部４２などを含んで構成される。
認知障害度算出部４１は、身体運動正確度算出部３０で算出された位置正確度および時系列正確度、さらには、キャリブレーション部２２で取得されたキャリブレーションデータなどを用いて、被験者の認知障害度を算出する。
また、認知障害度出力部４２は、認知障害度算出部４１により算出された認知障害度のデータまたはその経時変化データを出力装置５（液晶表示装置など）に表示する（後記する図９を参照）。
【００２４】
以上により、被験者またはその介助者は、被験者の認知障害度やその経時変化などを知ることができる。
【００２５】
なお、以上のような構成を有する脳機能障害評価装置１００は、タッチパネルセンサ付のタブレットコンピュータや、それとほぼ同等の機能・性能を有するいわゆるタブレット端末、スマートフォンなどにより実現することができる。
【００２６】
また、本実施形態では、身体運動検出センサ３としては、主として手指の運動を検出するために、タッチパネルセンサが用いられるものとするが、手指以外の身体運動を検出するものであってもよい。その場合には、身体運動検出センサ３としては、加速度センサ、磁気センサ、ジャイロ装置、モーションキャプチャ装置、ビデオカメラなどを用いることができる。
【００２７】
＜２．データ処理装置１の構成および機能＞
続いて、データ処理装置１を構成する各機能ブロックの機能の詳細について説明する。以下、本実施形態では、脳機能障害評価装置１００は、タッチパネルセンサ付のタブレットコンピュータやタブレット端末で構成され、そのデータ処理装置１には、脳機能障害評価プログラムがアプリケーションプログラムとして登録されているものとする。
なお、脳機能障害評価プログラムは、データ処理装置１の身体運動指示部１０、身体運動データ取得部２０、身体運動正確度算出部３０、認知障害度評価部４０をそれぞれ具現化するプログラムを含んで構成される。
【００２８】
＜２．１  起動時の処理＞
図２は、脳機能障害評価プログラム起動時に表示される被験者登録情報表示画面１１０の例を示した図である。脳機能障害評価装置１００のデータ処理装置１において、所定の操作により脳機能障害評価プログラムが起動されると、出力装置５（液晶表示装置）には、図２に示すような被験者登録情報表示画面１１０（ただし、最初は、右側の欄は空白）が表示される。
【００２９】
そこで、被験者またはその介助者（以下、「ユーザ」という）が被験者ＩＤの欄に被験者ＩＤを入力する。そして、その被験者ＩＤが記憶装置６に登録されていない場合には、データ処理装置１は、ユーザに対し、被験者名、性別、年齢、備考などのデータの入力を促す（例えば、入力を促すメッセージを出力する）。次に、ユーザが被験者名、性別、年齢、備考などの欄にそれぞれのデータを入力すると、データ処理装置１は、入力された被験者名、性別、年齢、備考などデータを被験者ＩＤに対応付けて記憶装置６に登録する。なお、備考欄は、ユーザが自由にテキストを記入できる欄であるが、例えば、被験者の疾患名や登録時に医師などによって診断された認知障害度などを記載する。
【００３０】
一方、入力された被験者ＩＤが記憶装置６にすでに登録されている場合には、データ処理装置１は、記憶装置６からその被験者ＩＤに対応付けられて記憶されている被験者名、性別、年齢、備考などのデータを読み出し、読み出したそれぞれのデータを、被験者登録情報表示画面１１０の対応する欄に記入し、表示する。
【００３１】
図３は、身体運動タスク選択部１１により表示される身体運動タスク選択画面１２０の例を示した図である。図３に示すように、身体運動タスク選択画面１２０には、身体運動タスクの一覧が表示されるとともに、そのそれぞれの身体運動タスクを選択するか否かを指示する選択指示欄が表示される。ユーザは、この選択指示欄にチェックマーク１２１を入れることによって、これから実施する身体運動タスクを選択する。なお、図３では、例として、リーチングタスクが選択されるとしている。
【００３２】
また、身体運動タスク選択画面１２０では、そのそれぞれの身体運動タスクで用いられる各種パラメータを設定し、表示することができる。なお、ここでいうパラメータとしては、例えば、身体運動の指示データが提示されてから被験者の反応動作が行われる際のタイムアウト時間、被験者の反応動作が行われてから次の身体運動の指示データが提示されるまでの提示時間間隔、前記のタイムアウト時間や提示時間などに対応して定められる難易度などがある。
【００３３】
＜２．２  身体運動の指示および身体運動データの取得＞
図４は、指示データ提示部１３により身体運動提示装置２に提示されるリーチングタスク指示画面２１０の例を示した図である。本実施形態では、データ処理装置１の指示データ提示部１３は、それぞれの身体運動タスクに応じてタッチパネルセンサ（身体運動検出センサ３）付き液晶表示装置（身体運動提示装置２）の表示画面に図形や文字を提示（表示）することで、被験者がその表示画面上でタッチすべき位置やタイミングを指示する。リーチングタスクとは、表示画面上のランダムな位置に特定の図形を提示し、被験者にできる限り速くその図形にタッチさせるタスクである。
【００３４】
リーチングタスクでは、指示データ提示部１３は、リーチングタスク指示画面２１０上に、まず、初期位置を表す黒丸図形２１１を表示する。このとき、被験者は、その初期位置の黒丸図形２１１に指を置き、待機する。次に、指示データ提示部１３は、リーチングタスク指示画面２１０上に十字型図形２１２を提示（表示）する。そこで、被験者は、待機していた黒丸図形２１１から指を離した後、十字型図形２１２をできる限り速くタッチする。なお、図４において、Ｄｉは、十字型図形２１２の中心位置と被験者がタッチしたリーチングタスク指示画面２１０上の位置の距離（直線距離）を表している。
【００３５】
指示データ提示部１３は、検出データ取得部２１によって取得された被験者のタッチ位置が十字型図形２１２にタッチしたと判定したときには、十字型図形２１２の表示色を変化させて、十字型図形２１２に正しくタッチされたことを被験者に知らせる。この場合、十字型図形２１２の十字の交点から所定の距離以内（例えば、５ｍｍ以内）にタッチされれば、正しくタッチしたと判定される。なお、このときスピーカなどの音声出力装置から出す音によって、十字型図形２１２に正しくタッチされたか否かを被験者に知らせるようにしてもよい。
【００３６】
また、指示データ提示部１３は、被験者が十字型図形２１２に正しくタッチしたとき、あるいは、タッチされず、タイムアウトエラーとなったときには、それまで提示（表示）していた十字型図形２１２を消去するとともに、さらに、別の位置に新たな十字型図形２１２を提示（表示）する。被験者は、再度、新たに提示（表示）された十字型図形２１２をできる限り速くタッチする。このような十字型図形２１２の提示と被験者によるタッチは、所定の回数繰り返される。
【００３７】
なお、以上のリーチングタスクにおいて、検出データ取得部２１は、被験者の身体の一部、例えば、指が表示画面、つまり、タッチパネルセンサに触れたときの座標を取得するが、その場合、指はタッチパネルセンサに面接触する。このとき、検出データ取得部２１は、その接触面の図形の、例えば、重心の位置の座標を、指接触位置の座標として取得する。
【００３８】
このようなタッチパネルセンサでは、一般的には、座標の原点位置が表示画面の左隅に設定され、横方向がｘ軸方向、縦方向がｙ軸方向とされ、表示画面上の各点の座標が定められることが多い。しかしながら、原点位置は、表示画面の他の隅に設定してもよく、表示画面の中心に設定してもよく、さらには、表示画面の内外の任意の位置に設定してもよい。ｘ軸方向、ｙ軸方向も横方向、縦方向に限定されない。
【００３９】
検出データ取得部２１は、その基本的な機能として、被験者の指が接触した位置の座標（ｘ，ｙ）を取得する。なお、複数の指（例えば、親指と人差し指）で同時にタッチパネルセンサがタッチされた場合には、検出データ取得部２１は、それぞれの指接触位置に対応して複数の座標（例えば、（ｘ１，ｙ１）および（ｘ２，ｙ２））を取得する。さらに、検出データ取得部２１は、所定のタイミング周期（例えば、１０ミリ秒）ごとに指接触位置の時系列の座標（ｘ（ｔ），ｙ（ｔ））を取得する。
【００４０】
図５は、指示データ提示部１３により身体運動提示装置２に提示されるリーチングタスク指示画面２１０の変形例を示した図である。図５に示した変形例に係るリーチングタスク指示画面２１０ａでは、十字型図形２１２の代わりに円形図形２１３が提示される。このことを除けば、指示データ提示部１３の処理や被験者に実施させる動作は、図４のリーチングタスク指示画面２１０の場合と基本的には同じである。
【００４１】
図５に示したリーチングタスク指示画面２１０ａでは、指示データ提示部１３は、円形図形２１３を提示するたびに、その大きさ（半径）をランダムに変更するようにしてもよい。
なお、健常者の場合、リーチングに要する時間と円形図形２１３の半径との間には、一定の関係があることが、フィッツの法則として知られている。そこで、リーチングタスク指示画面２１０ａを用い、円形図形２１３の半径を変化させるようにすれば、その結果から、認知機能など脳機能が低下しても、フィッツの法則の関係が維持されるか否かを調べることができる。
【００４２】
リーチングタスクは、さらなる変形も可能である。ここまで説明したリーチングタスクでは、被験者は表示画面に提示された図形に無条件にタッチするとしているが、被験者には、ある判断条件を課し、その結果に従ってタッチさせるようにしてもよい。
【００４３】
例えば、指示データ提示部１３が表示画面に参照用の円とリーチング対象の円を提示して、被験者に両者の大きさを比較させる。そして、被験者には両者の大きさが同じである場合にタッチさせ、両者の大きさが異なる場合にタッチさせないようにする。あるいは、提示する図形の大きさでなく、図形の色や形状によってタッチする条件を定めてもよい。また、提示した文字の種類によりタッチする条件を定めてもよい。例えば、ひらがなが表示された場合にはタッチさせ、カタカナやアルファベットが提示された場合はタッチさせないようにする。
【００４４】
さらには、被験者に概念を判断させる条件を課してもよい。例えば、指示データ提示部１３が表示画面に色付きの図形と色の名称とを提示し、図形の色の名称と提示された色の名称が同じである場合にタッチさせ、異なる場合にタッチさせないようにする。
【００４５】
以上のように、被験者に判断条件を課すリーチングタスクでは、被験者の単純な運動機能を評価するだけでなく、高次の認知機能も評価することが可能になる。
【００４６】
＜２．３  身体運動の正確度の算出＞
図４または図５に示したようなリーチングタスクが実施されたときには、検出データ取得部２１は、被験者がタッチした位置の座標（Ｘ，Ｙ）および時刻ｔについての時系列データを取得する。以下、本明細書では、この座標（Ｘ，Ｙ）および時刻ｔの時系列データを、（Ｘｉ（ｔｉ），Ｙｉ（ｔｉ））、または、単に、（Ｘ（ｔ），Ｙ（ｔ））と表す。なお、ｉ＝１，２，…，Ｎであり、Ｎは、リーチングの繰り返し回数である。
【００４７】
まず、指示・検出データ比較部３１は、提示されたそれぞれのリーチング対象図形について、その図形の中心の位置（ＸＣｉ（τｉ），ＹＣｉ（τｉ））と被験者がタッチした位置（Ｘｉ（ｔｉ），Ｙｉ（ｔｉ））との距離を、タッチ位置誤差Ｄｉとして算出する（図４参照）。さらに、指示・検出データ比較部３１は、提示されたそれぞれのリーチング対象図形について、その図形が表示された時刻τｉと被験者がタッチした時刻ｔｉとの差を、タッチ遅延時間Ｔｉとして算出する。
【００４８】
身体運動の正確度としては、位置正確度と時系列正確度を想定することができる。
位置正確度とは、指示データ提示部１３により提示された図形の位置に対する、被験者によりタッチされた位置の一致度をいう。従って、リーチングタスクの場合、位置正確度ｍｄは、例えば、指示・検出データ比較部３１により算出されたタッチ位置誤差Ｄｉの平均値（＝ΣＤｉ／Ｎ）であると定義することができ、位置正確度算出部３２により算出される。
【００４９】
また、時系列正確度とは、リーチング対象図形が指示データ提示部１３により提示された時刻τｉに対する被験者がタッチした時刻ｔｉの一致度をいう。従って、リーチングタスクの場合、時系列正確度ｍＴは、指示・検出データ比較部３１により算出されたタッチ遅延時間Ｔｉの平均値（＝ΣＴｉ／Ｎ）であると定義することができ、時系列正確度算出部３３により算出される。
【００５０】
なお、本明細書では、正確度（位置正確度ｍｄ、時系列正確度ｍＴ）は、その値が小さいほど、身体運動の指示データと被験者の実際の運動により得られるデータの一致度が大きいことを表すものとする。
【００５１】
＜２．４  認知障害度の評価＞
認知障害度Ｓは、位置正確度算出部３２により算出された位置正確度ｍｄと、時系列正確度算出部３３により算出された時系列正確度ｍＴを統合した値として算出される。その算出方法には、以下に示すような様々な方法があるが、そのいずれを用いてもよい。
【００５２】
（認知障害度Ｓの算出方法：その１）
最も簡単な認知障害度Ｓの算出方法は、位置正確度ｍｄおよび時系列正確度ｍＴをそれぞれ正規化した上で、両者を単純に足し合わせるというものである。
ここで、位置正確度ｍｄの正規化には、予め健常群の複数の被験者に同様のリーチングタスクを実施し、その複数の被験者から得られた位置正確度ｍｄｊ（ｊ＝１，２，…，Ｐ：Ｐは健常群の被験者数）の平均値ＭＣ（ｍｄｊ）および標準偏差σＣ（ｍｄｊ）を用いる。また、時系列正確度ｍＴの正規化には、前記予め健常群の複数の被験者に対して実施したリーチングタスクから得られた複数の被験者の時系列正確度ｍＴｊ（ｊ＝１，２，…，Ｐ：Ｐは健常群の被験者数）の平均値ＭＣ（ｍＴｊ）および標準偏差σＣ（ｍＴｊ）を用いる。
【００５３】
なお、ここで利用する健常群から得られる位置正確度ｍｄｊの平均値ＭＣ（ｍｄｊ）および標準偏差σＣ（ｍｄｊ）、ならびに、時系列正確度ｍＴｊの平均値ＭＣ（ｍＴｊ）および標準偏差σＣ（ｍＴｊ）は、事前に算出され、記憶装置６に格納されているものとする。
【００５４】
そこで、認知障害度算出部４１は、まず、次の式（１）および式（２）に従って、正規化位置正確度ｍｄ＿ｎおよび正規化時系列正確度ｍＴ＿ｎを算出する。
【数１】
2015037089.tif 000003
【００５５】
続いて、認知障害度算出部４１は、次の式（３）に従って、認知障害度Ｓを算出する。すなわち、認知障害度Ｓは、正規化位置正確度ｍｄ＿ｎと正規化時系列正確度ｍＴ＿ｎとを単純に足し合わせた値として算出される。
【数２】
2015037089.tif 000004
【００５６】
（認知障害度Ｓの算出方法：その２）
第２の方法として、位置正確度ｍｄおよび時系列正確度ｍＴのそれぞれの重要度に応じて重みづけをして足し合わせることにより、認知障害度Ｓを算出してもよい。その場合、位置正確度ｍｄおよび時系列正確度ｍＴのそれぞれの重みをＩｄおよびＩＴで表すと、認知障害度Ｓは、次の式（４）により算出することができる。
【数３】
2015037089.tif 000005
【００５７】
重みＩｄおよびＩＴは、例えば、次に示す式（５）および式（６）により算出することができる。
ただし、その算出をする際には、健常群のＰＣ人の被験者について、位置正確度ｍｄｊの平均値ＭＣ（ｍｄｊ）および標準偏差σＣ（ｍｄｊ）、ならびに、時系列正確度ｍＴｊの平均値ＭＣ（ｍＴｊ）および標準偏差σＣ（ｍＴｊ）がすでに得られ、さらに、認知症群のＰＰ人の被験者について、位置正確度ｍｄｋの平均値ＭＰ（ｍｄｋ）および標準偏差σＰ（ｍｄｋ）、ならびに、時系列正確度ｍＴｋの平均値ＭＰ（ｍＴｋ）および標準偏差σＰ（ｍＴｋ）がすでに得られ、記憶装置６に格納されているものとする。なお、ｊ＝１，２，…，ＰＣ、ｋ＝１，２，…，ＰＰである。
【００５８】
【数４】
2015037089.tif 000006
【００５９】
これらの重みＩｄ，ＩＴは、健常群と認知症群のばらつきを考慮して、２群の平均値の差の大きさを評価する指標であり、ウェルチの検定（２群の分散が異なる場合に２群の平均値の差異の有無を検定する方法）で用いる統計量を参考にして定めたものである。
【００６０】
式（５）によれば、重みＩｄが大きいほど、２群間における位置正確度ｍｄの差が大きいことを意味するので、位置正確度ｍｄによって２群のうちいずれに属するかを判別し易いことになる。つまり、位置正確度ｍｄは、Ｉｄが大きいほど認知症群を検出し易い重要な指標であるといえる。また、式（６）によれば、同様に、時系列正確度ｍＴは、ＩＴが大きいほど認知症群を検出し易い重要な指標であるといえる。
【００６１】
なお、重みＩｄおよびＩＴの算出は、式（５）および式（６）に限定されない。健常群と認知症群の乖離の程度を評価可能な統計量であれば、別の統計量でもよい。
【００６２】
以上、第２の認知障害度Ｓの算出方法では、認知障害度算出部４１は、式（５）および式（６）を計算し、さらに、式（４）を計算することにより、認知障害度Ｓを算出する。なお、重みＩｄ，ＩＴは、その都度計算するのではなく、予め記憶装置６に格納しておくのが好ましい。
【００６３】
（認知障害度Ｓの算出方法：その３）
さらに、認知障害度Ｓを評価する他の例として、多変量解析を用いる例を示す。図６は、多変量解析を用いて認知障害度Ｓを評価する例を模式的に示した図である。すなわち、図６のグラフは、時系列正確度ｍＴ（平均タッチ遅延時間）を横軸、位置正確度ｍｄ（平均タッチ位置誤差）を縦軸とし、各被験者の時系列正確度ｍＴおよび位置正確度ｍｄを散布図として表したものである。
【００６４】
図６に示した散布図において、黒丸印は、健常群に属する複数の被験者の時系列正確度ｍＴおよび位置正確度ｍｄを表し、三角印は、認知症群に属する複数の被験者の時系列正確度ｍＴおよび位置正確度ｍｄを表わしている。
【００６５】
なお、図６の例では、平均タッチ位置誤差としての位置正確度ｍｄおよび平均タッチ遅延時間としての時系列正確度ｍＴの２つだけを解析の対象の変数量としているが、解析の対象の変数量には、位置正確度や時系列正確度などを表す他の特徴量を適宜追加してもよい。
【００６６】
図６の散布図のデータに対し、多変量解析の一種である線形判別分析を適用すると、認知障害度Ｓを表す軸３０１が得られる。そして、認知障害度Ｓは、その線形判別分析により得られる係数Ｃｄ１とＣＴ１を使って、次の式（７）で表される。
【数５】
2015037089.tif 000007
【００６７】
従って、軸３０１、すなわち、式（７）が得られたことにより、リーチングタスクなどにより被験者の時系列正確度ｍＴおよび位置正確度ｍｄを得ることができれば、認知障害度Ｓを算出することができる。
【００６８】
さらに、図６に示すように、ある閾値Ｓｔｈで軸３０１と直交する直線３０２（図６では、破線で表示）を、健常群と認知症群とを分離する境界線として用いることができる。すなわち、式（７）により被験者から得られた認知障害度ＳがＳｔｈより大きければ認知症、大きくなければ認知症でないと判定することができる。なお、この判定において、閾値Ｓｔｈを健常群寄りの小さめの値に設定すると、認知症をより鋭敏に検出することができ、閾値Ｓｔｈを認知症群寄りの大きめの値に設定すると、認知症の誤検出を避けることができる。
【００６９】
以上、第３の認知障害度Ｓの算出方法では、認知障害度算出部４１は、予め線形判別分析などにより係数Ｃｄ１、ＣＴ１を計算しておき、被験者の時系列正確度ｍＴおよび位置正確度ｍｄが得られたとき、その被験者の認知障害度Ｓを式（７）に従って計算する。
【００７０】
なお、以上の例では、認知障害度Ｓを算出するのに線形判別分析を用いる方法を説明したが、複数の特徴量から２群を判別し、その乖離度を数値化する方法であれば、サポートベクターマシンなど他の統計的手法用いて認知障害度Ｓを算出してもよい。
【００７１】
図７は、図６に示した認知障害度Ｓを評価する例の変形例を模式的に示した図である。図７の散布図には、図６の散布図と同様に、健常群および認知症群それぞれに属する複数の被験者のデータ（黒丸印および三角印）が示されている。また、図７の各被験者のデータには、認知症の程度を予め医師が検診により評価したＭＭＳＥ（Mini Mental State Examination）のスコアが付与されている。
【００７２】
ちなみに、ＭＭＳＥでは、３０点が最高得点で認知機能低下がない健常な状態であり、スコアが低くなるほど認知症が重症であることを表す。この健常群の位置正確度ｍｄと時系列正確度ｍＴとＭＭＳＥのスコアとに対して、多変量解析の一種である重回帰分析を適用すると、認知障害度Ｓを表す軸３０５が得られる。そして、認知障害度Ｓは、重回帰分析により求められる係数Ｃｄ２とＣＴ２を使って、次の式（８）で表される。
【数６】
2015037089.tif 000008
なお、この式（８）は、時系列正確度ｍＴおよび位置正確度ｍｄから、医師が評価するＭＭＳＥのスコアを推定する式とみなすことができる。
【００７３】
従って、図６の例の場合と同様に、認知障害度算出部４１は、予め重回帰分析などにより係数Ｃｄ２、ＣＴ２を計算しておき、被験者の時系列正確度ｍＴおよび位置正確度ｍｄが得られたとき、その被験者の認知障害度Ｓを式（８）に従って計算する。
【００７４】
＜２．５  キャリブレーション＞
キャリブレーション部２２は、被験者の聴覚、視覚、運動などの能力を予め評価しておき、認知障害度Ｓを評価するためのタスク（本実施形態ではリーチングタスク）に対するこれらの影響を差し引く。その場合、聴覚、視覚、運動能力などすべての影響を差し引いてもよいし、どれか一つの影響のみを差し引いてもよい。
【００７５】
図８は、キャリブレーション部２２により身体運動提示装置２に提示されるキャリブレーション指示画面の例を示した図であり、（ａ）は、視覚キャリブレーション用、（ｂ）は、聴覚キャリブレーション用、（ｃ）は、運動能力キャリブレーション用の指示画面の例である。
【００７６】
被験者の視覚能力を評価する場合、キャリブレーション部２２は、例えば、図８（ａ）に示すように、キャリブレーション指示のメッセージ２２１および十字型図形２２２をキャリブレーション指示画面２２０に表示する。次に、キャリブレーション部２２は、被験者に、時間の制限を設けることなく十字型図形２２２の中心（交点）にタッチさせ、被験者がタッチした位置と十字型図形２２２の中心との距離Ｄｉを取得する。
【００７７】
さらに、キャリブレーション部２２は、同様の動作を被験者に複数回（ｎ回）行わせ、距離Ｄｉの（ｉ＝１，２，…，ｎ）平均すなわちタッチ位置誤差の平均値を算出し、当該被験者の位置キャリブレーション値ｃｄとする。そして、位置正確度算出部３２により当該被験者について求められた位置正確度ｍｄから、この位置キャリブレーション値ｃｄを差し引くことにより、当該被験者の視覚能力の影響をキャンセルしたキャリブレーション後の位置正確度ｍｄｃ（＝ｍｄ−ｃｄ）を得る。
【００７８】
例えば、被験者の位置キャリブレーション値ｃｄが３ｍｍで、リーチングタスクなどで求められた位置正確度ｍｄが１０ｍｍであった場合には、キャリブレーション後の位置正確度ｍｄｃは、７ｍｍとなる。
【００７９】
また、被験者の聴覚能力を評価する場合、キャリブレーション部２２は、例えば、図８（ｂ）に示すように、キャリブレーション指示のメッセージ２２４および円形図形２２５をキャリブレーション指示画面２２３に表示する。次に、キャリブレーション部２２は、スピーカなどから所定の音を出力し、被験者に音が聞こえたら円形図形２２５にタッチさせ、音を出力してから被験者が円形図形２２５にタッチするまでの時間であるタッチ遅延時間ｔｉを取得する。
【００８０】
さらに、キャリブレーション部２２は、同様の動作を被験者に複数回（ｎ回）行わせ、タッチ遅延時間ｔｉの（ｉ＝１，２，…，ｎ）平均値を算出し、当該被験者の聴覚能力に基づく時系列キャリブレーション値ｃＴとする。そして、時系列正確度算出部３３により当該被験者について求められた時系列正確度ｍＴから、この時系列キャリブレーション値ｃＴを差し引くことにより、当該被験者の聴覚能力の影響をキャンセルしたキャリブレーション後の時系列正確度ｍＴｃ（＝ｍＴ−ｃＴ）を得る。
【００８１】
例えば、被験者の聴覚能力に基づく時系列キャリブレーション値ｃＴが６０ミリ秒で、後記するリズムタッチタスクなど聴覚能力が関係するタスクで求められた時系列正確度ｍＴが１００ミリ秒であった場合には、キャリブレーション後の時系列正確度ｍＴｃは、４０ミリ秒となる。
【００８２】
また、被験者の運動能力を評価する場合、キャリブレーション部２２は、例えば、図８（ｃ）に示すように、キャリブレーション指示のメッセージ２２７および２つの円形図形２２８をキャリブレーション指示画面２２６に表示する。キャリブレーション部２２は、被験者に、決められた位置に表示された２つの円形図形２２８にできるだけ速く交互にタッチさせ、２つの円形図形２２８が交互にタッチされる時間間隔ｔｉを取得する。
【００８３】
キャリブレーション部２２は、交互タッチの動作を被験者に複数回（ｎ回）行わせ、交互タッチ時間間隔ｔｉの（ｉ＝１，２，…，ｎ）平均値を算出し、当該被験者の運動能力に基づく時系列キャリブレーション値ｅＴとする。そして、時系列正確度算出部３３により当該被験者について求められた時系列正確度ｍＴから、この時系列キャリブレーション値ｅＴを差し引くことにより、当該被験者の運動能力の影響をキャンセルしたキャリブレーション後の時系列正確度ｍＴｅ（＝ｍＴ−ｅＴ）を得る。
【００８４】
例えば、被験者の運動能力に基づく時系列キャリブレーション値ｅＴが８０ミリ秒で、リーチングタスクなどで求められた時系列正確度ｍＴが１００ミリ秒であった場合には、キャリブレーション後の時系列正確度ｍＴｃは、２０ミリ秒となる。なお、この場合の２０ミリ秒は、被験者がリーチングすべき図形（図４の例では、十字型図形２１２）の位置を認識するのに掛かった時間を表している。
【００８５】
以上のように、キャリブレーション部２２は、被験者の聴覚、視覚、運動能力を予め評価しておくことにより、認知障害度Ｓを評価するタスクで得られる位置正確度ｍｄおよび時系列正確度ｍＴを、被験者の聴覚、視覚、運動能力に応じて補正することができる。そして、キャリブレーション部２２で求められたキャリブレーション後の位置正確度ｍｄｃおよび時系列正確度ｍＴｃ，ｍＴｅの値は、その後の認知障害度算出部４１が認知障害度Ｓを算出する処理では、位置正確度ｍｄおよび時系列正確度ｍＴの値として用いられる。
【００８６】
以上、キャリブレーション部２２を用いることにより、被験者の聴覚、視覚、運動能力を考慮した高精度の位置正確度ｍｄおよび時系列正確度ｍＴを得ることが可能となり、より精度の高い認知障害度Ｓの算出が可能となる。
【００８７】
＜２．６  評価結果の保存と表示＞
認知障害度出力部４２は、認知障害度算出部４１により算出された認知障害度Ｓを記憶装置６に格納する。この際には、認知障害度Ｓだけでなく、計測日時、被験者ＩＤ、被験者の年齢、性別なども合わせて格納するとよい。さらに、医師の問診で得られたＭＭＳＥ、ＦＡＢ、長谷川式スケールなどのスコアを併せて格納してもよい。
【００８８】
認知障害度出力部４２は、認知障害度算出部４１により算出された認知障害度Ｓを液晶表示装置やプリンタなどの出力装置５に出力する。従って、被験者またはその介助者は、実施されたリーチングタスクなどの認知障害度評価タスクで得られた被験者の認知障害度Ｓを知ることができる。
【００８９】
認知障害度出力部４２は、記憶装置に格納された当該被験者の計測日時と認知障害度Ｓとの関係を表した経時変化グラフを表示する。図９は、ある被験者の認知障害度Ｓの経時変化グラフの例を示した図である。図９のグラフにおいて、横軸は、被験者にリーチングタスクなどを実施させた日時、すなわち、被験者の認知障害度Ｓを計測した日時を表す。また、縦軸は、認知障害度Ｓを表す。また、黒丸印は、ある被験者について、それぞれの計測日時で得られた認知障害度Ｓを表す。
【００９０】
認知障害度出力部４２は、さらに、ある被験者についての認知障害度Ｓの経時変化の指標Ｓｄを求める。ここで、認知障害度Ｓの経時変化の指標Ｓｄは、例えば、図９のグラフに描かれた直線３１０の傾きとして表され、直線３１０の傾きは、回帰分析や最小二乗法などにより求めることができる。
【００９１】
この場合、認知障害度Ｓの経時変化の指標Ｓｄが０より小さい場合には、認知障害が悪化していることを意味し、指標Ｓｄがほぼ０に等しい場合には、認知障害の悪化の進行が停止していることを意味し、指標Ｓｄが０より大きい場合には、認知障害が改善していることを意味する。従って、医師、被験者および介助者は、図９に示すような認知障害度Ｓの経時変化のグラフから、被験者に実施されている治療やリハビリテーションの効果などを知ることができる。
【００９２】
なお、認知障害度Ｓの経時変化の指標Ｓｄは、軸３０１の傾きに限定されるわけではない。現時点と過去の認知障害度Ｓの経時変化を評価可能な指標であれば、他の指標であってもよい。例えば、過去数回分の認知障害度Ｓの標準偏差を認知障害度Ｓの経時変化の指標Ｓｄとしてもよい。この場合は、認知機能のいわば安定性を評価することとなる。
【００９３】
以上に説明した本発明の実施形態によれば、被験者の脳機能障害を含めた認知機能低下の程度（認知障害度Ｓ）を簡易的に評価することが可能になり、さらに、被験者に実施されている治療やリハビリテーションの効果などを知ることが可能になる。
【００９４】
＜３．身体運動タスクの変形例＞
ここまでに説明した実施形態では、認知障害度Ｓは、被験者がリーチングタスクを実施した結果に基づいて算出されるものとしているが、他の身体運動タスクを実施した結果に基づいて算出されるとしてもよい。以下、認知障害度Ｓを求めるための他の身体運動タスクの例について説明するとともに、認知障害度Ｓを算出する方法などが前記したリーチングタスクでの実施形態と相違する場合には、その相違する点についても説明する。
【００９５】
＜３．１  リズムタッチタスク＞
（ａ．聴覚刺激によるリズムタッチタスク）
図１０は、身体運動提示装置２に提示される聴覚刺激による片手リズムタッチタスク指示画面２３０の例を示した図である。
身体運動タスク選択画面１２０（図３参照）を介して聴覚刺激の片手リズムタッチタスクが選択された場合には、身体運動指示部１０（図１参照）の指示データ提示部１３は、図１０に示すような片手リズムタッチタスク指示画面２３０を身体運動提示装置２に表示する。このとき、片手リズムタッチタスク指示画面２３０の中には、被験者がタッチすべき円形図形２３１が表示される。
【００９６】
続いて、指示データ提示部１３は、被験者がタッチすべきタイミングを指示するタッチ指示音を特定の時間間隔またはランダムな時間間隔で繰り返しスピーカから出力する。被験者は、その出力されるタッチ指示音にできるだけタイミングを合わせて、前記の円形図形２３１に、例えば、親指でタッチする。
なお、被験者は高齢である場合が多いため、聴覚刺激用のタッチ指示音は、大きめで高音域を避けたものが好ましい（後記する図１１、図１２の説明でも同様）。
【００９７】
この聴覚刺激の片手リズムタッチタスクから得られる被験者の身体運動（手指の運動）についてのデータを用いれば、後記にて説明するようにして認知障害度Ｓを算出することができる。そして、この片手リズムタッチタスクで、タッチ指示音が同じ時間間隔で出力される場合には、聴覚刺激に対する被験者の予測力に基づく認知障害度Ｓを評価することができる。また、タッチ指示音がランダムな時間間隔で出力される場合には、聴覚刺激に対する被験者の応答速度に基づく認知障害度Ｓを評価することができる。
なお、この片手リズムタッチタスクの効果は、以下に説明する他のリズムタッチタスクでも同様である。
【００９８】
図１０の例では、被験者がタッチすべき円形図形２３１は、片手リズムタッチタスク指示画面２３０の左側に表示され、被験者の左手親指でタッチされるものとしているが、被験者がタッチすべき円形図形２３１は、片手リズムタッチタスク指示画面２３０の右側に表示され、被験者の右手親指でタッチされるものとしてもよい。
【００９９】
図１１は、身体運動提示装置２に提示される聴覚刺激による両手リズムタッチタスク指示画面２３０ａの例を示した図である。
身体運動タスク選択画面１２０（図３参照）を介して聴覚刺激の両手ズムタッチタスクが選択された場合には、指示データ提示部１３は、図１１に示すような両手リズムタッチタスク指示画面２３０ａを身体運動提示装置２に表示する。このとき、両手リズムタッチタスク指示画面２３０ａの中には、被験者が右手および左手のそれぞれでタッチすべき２つの円形図形２３１が表示される。
【０１００】
続いて、指示データ提示部１３は、被験者がタッチすべきタイミングを指示するタッチ指示音を特定の時間間隔またはランダムな時間間隔で繰り返しスピーカから出力する。被験者は、その出力されるタッチ指示音にできるだけタイミングを合わせて、２つの円形図形２３１のそれぞれに、例えば、左手親指および右手親指で同時にタッチする。
【０１０１】
図１２は、身体運動提示装置２に提示される聴覚刺激による両手交互リズムタッチタスク指示画面２３０ｂの例を示した図である。
身体運動タスク選択画面１２０（図３参照）を介して両手交互リズムタッチタスクが選択された場合には、指示データ提示部１３は、図１２に示すような両手交互リズムタッチタスク指示画面２３０ｂを身体運動提示装置２に表示する。このとき、両手交互リズムタッチタスク指示画面２３０ｂの中には、被験者が右手および左手のそれぞれでタッチすべき２つの円形図形２３１が表示される。
【０１０２】
続いて、指示データ提示部１３は、被験者がタッチすべきタイミングを指示するタッチ指示音を特定の時間間隔またはランダムな時間間隔で繰り返しスピーカから出力する。被験者は、その出力されるタッチ指示音にできるだけタイミングを合わせて、２つの円形図形２３１のそれぞれに、例えば、左手親指または右手親指で交互にタッチする。
【０１０３】
なお、両手交互リズムタッチタスクでは、タッチすべき左右の円形図形２３１に応じてタッチ指示音を異なる音にしてもよい。例えば、左右で、タッチ指示音の高さを変えたり、異なる楽器の音にしたりしてもよい。
【０１０４】
（ｂ．視覚刺激によるリズムタッチタスク）
図１３は、身体運動提示装置２に提示される視覚刺激による片手リズムタッチタスク指示画面２４０の例を示した図である。
身体運動タスク選択画面１２０（図３参照）を介して視覚刺激の片手リズムタッチタスクが選択された場合には、指示データ提示部１３は、図１３に示すような片手リズムタッチタスク指示画面２４０を身体運動提示装置２に表示する。このとき、片手リズムタッチタスク指示画面２４０の中には、被験者がタッチすべき円形図形２４１が表示される。
【０１０５】
続いて、指示データ提示部１３は、被験者がタッチすべきタイミングを指示するタッチ指示図形２４２を、特定の時間間隔またはランダムな時間間隔で繰り返し表示（ただし、その後すぐに消去）する。被験者は、タッチ指示図形２４２が表示されるタイミングにできるだけ合わせて、円形図形２４１にタッチする。
なお、視覚刺激用のタッチ指示図形２４２は、円形黒色に限定されない。被験者は高齢である場合が多いため、むしろ、派手な原色系の色を含んだ目立つ形状であるもののほうが好ましい（図１４、図１５の説明でも同様）。
【０１０６】
図１４は、身体運動提示装置２に提示される視覚刺激による両手リズムタッチタスク指示画面２４０ａの例を示した図である。
身体運動タスク選択画面１２０（図３参照）を介して視覚刺激の両手リズムタッチタスクが選択された場合には、指示データ提示部１３は、図１４に示すような両手リズムタッチタスク指示画面２４０ａを身体運動提示装置２に表示する。このとき、両手リズムタッチタスク指示画面２４０ａの中には、被験者が右手および左手のそれぞれでタッチすべき２つの円形図形２４１が表示される。
【０１０７】
続いて、指示データ提示部１３は、被験者がタッチすべきタイミングを指示するタッチ指示図形２４２を、特定の時間間隔またはランダムな時間間隔で繰り返し表示（ただし、その後すぐに消去）する。被験者は、タッチ指示図形２４２が表示されるタイミングにできるだけ合わせて、２つの円形図形２４１のそれぞれに、例えば、左手親指および右手親指で同時にタッチする。
【０１０８】
図１５は、身体運動提示装置２に提示される視覚刺激による両手交互リズムタッチタスク指示画面２４０ｂの例を示した図である。
身体運動タスク選択画面１２０（図３参照）を介して視覚刺激の両手交互リズムタッチタスクが選択された場合には、指示データ提示部１３は、図１５に示すような両手交互リズムタッチタスク指示画面２４０ｂを身体運動提示装置２に表示する。このとき、両手交互リズムタッチタスク指示画面２４０ｂの中には、被験者が右手および左手のそれぞれでタッチすべき２つの円形図形２４１が表示される。
【０１０９】
続いて、指示データ提示部１３は、被験者がタッチすべきタイミングを指示するタッチ指示図形２４２を、特定の時間間隔またはランダムな時間間隔で繰り返し表示（ただし、その後すぐに消去）する。被験者は、タッチ指示図形２４２が表示されるタイミングにできるだけ合わせて、２つの円形図形２４１のそれぞれを、例えば、左手親指または右手親指で交互にタッチする。
【０１１０】
（ｃ．メトロノーム型リズムタッチタスク）
図１６は、身体運動提示装置２に提示されるメトロノーム型リズムタッチタスク指示画面２５０の例を示した図である。
身体運動タスク選択画面１２０（図３参照）を介してメトロノーム型リズムタッチタスクが選択された場合には、指示データ提示部１３は、図１６に示すようなメトロノーム型リズムタッチタスク指示画面２５０を身体運動提示装置２に表示する。このとき、メトロノーム型リズムタッチタスク指示画面２５０の中には、被験者が右手および左手のそれぞれでタッチすべき２つの円形図形２５１が表示され、さらに、メトロノーム様の振り子２５２とその振幅範囲を表す扇形図形２５３が表示される。
【０１１１】
振り子２５２は、扇形図形２５３の範囲を一定の周期で振動する。そこで、被験者は、振り子２５２が扇形図形２５３の右の端に達したタイミングに合わせて、右手親指で右側の円形図形２５１をタッチし、左の端に達したタイミングに合わせて、左手親指で左側の円形図形２５１をタッチする。
【０１１２】
従って、メトロノーム型リズムタッチタスクは、図１５に示した視覚刺激の両手交互リズムタッチタスクと実質的には同様の身体運動タスクといえる。ただし、メトロノーム型リズムタッチタスクの場合、被験者が振り子２５２の動きを観察して予測することができるので、被験者の予測する力を含んだ認知障害度Ｓを評価することができる。
【０１１３】
なお、メトロノーム型リズムタッチタスクは、被験者が円形図形２５１を両手で交互にタッチするのを、片手でタッチしたり、両手で同時にタッチしたりするように変更すれば、片手リズムタッチタスクや両手リズムタッチタスクと実質的に同様のものとすることができる。
【０１１４】
（位置正確度、時系列正確度および認知障害度の算出）
以上に説明した各リズムタッチタスクでは、指示・検出データ比較部３１（図１参照）は、検出データ取得部２１によって取得される被験者によるタッチ位置座標（Ｘ，Ｙ）が、先に表示された円形図形２３１，２４１，２５１内に含まれているか否かを判定する。
【０１１５】
次いで、位置正確度算出部３２は、被験者によるタッチ位置座標（Ｘ，Ｙ）が円形図形２３１，２４１，２５１内に含まれている場合には、タッチ成功と判定し、そうでない場合には、タッチ失敗と判定し、そのタッチ失敗率を算出する。そして、位置正確度算出部３２は、その算出したタッチ失敗率をもって位置正確度ｍｄと定義する。つまり、位置正確度ｍｄ＝タッチ失敗回数／（タッチ成功回数＋タッチ失敗回数）として計算される。
なお、位置正確度ｍｄとして、タッチ成功率ではなくタッチ失敗率を用いるのはやや違和感があるが、これは、本明細書では、位置正確度ｍｄの意味を、値が小さいほど正確度が高くなると定めていることによる。
【０１１６】
例えば、１回のリズムタッチタスクで２０回の視覚刺激または聴覚刺激があり、被験者がタッチすべき円形図形２３１，２４１，２５１のタッチに５回失敗した場合には、その位置正確度ｍｄは、０．２５となる。
【０１１７】
また、時系列正確度ｍＴは、前記リーチングタスクの場合と同様に算出される。すなわち、時系列正確度算出部３３は、視覚刺激または聴覚刺激が提示された時刻τｉと被験者がタッチした時刻ｔｉとの差であるタッチ遅延時間Ｔｉの平均値（＝ΣＴｉ／Ｎ：Ｎは、視覚刺激または聴覚刺激の提示回数）を算出し、その算出したタッチ遅延時間Ｔｉの平均値をもって時系列正確度ｍＴと定義する。
【０１１８】
以上のようにして位置正確度ｍｄおよび時系列正確度ｍＴが求められると、認知障害度算出部４１は、前記実施形態で示した方法と同様の方法で認知障害度Ｓを計算することができる。また、認知障害度出力部４２は、その計算された認知障害度Ｓやその経時変化グラフ（図９参照）を液晶表示装置やプリンタなどの出力装置５に出力することができる。
【０１１９】
すなわち、被験者またはその介助者は、リズムタッチタスクを実施することにより、被験者の脳機能障害を含めた認知機能低下の程度（認知障害度Ｓ）を容易に評価することが可能になる。
【０１２０】
＜３．２  開閉指タップタスク＞
図１７は、身体運動提示装置２に提示される片手開閉指タップタスク指示画面２６０の例を示した図である。
身体運動タスク選択画面１２０（図３参照）を介して片手開閉指タップタスクが選択された場合には、身体運動指示部１０（図１参照）の指示データ提示部１３は、図１７に示すような片手開閉指タップタスク指示画面２６０を身体運動提示装置２に表示する。ここで、片手開閉指タップタスクとは、被験者の片手の２指（例えば、親指と人差し指）を繰り返し開閉運動させる身体運動タスクをいう。
【０１２１】
そこで、片手開閉指タップタスク指示画面２６０の中には、被験者が２指の開閉運動をさせる領域を指定する扇型の開閉運動指定領域２６１が表示される。なお、開閉運動指定領域２６１は、扇型に限定されるわけではなく、２指の開閉運動をしやすい領域になるのであれば、どのような形状であってもよい。
【０１２２】
被験者は、片手開閉指タップタスクでは、例えば、親指と人差し指を扇型図形２６１に接触させた状態で、できるだけ大きくかつできるだけ速く開閉させる運動を繰り返す。このとき、検出データ取得部２１は、親指がタッチした位置の座標値と人差し指がタッチした位置の座標値とを検出し、これら２指のタッチ位置間の距離を、２指間距離Ｌとして算出する。なお、図１７において、両端矢線２６２は、人差し指の開閉振幅を表し、両端矢線２６３は、親指の開閉振幅を表している。
【０１２３】
開閉指タップタスクとしては、図１７の例の他に、両手開閉指タップタスクおよび両手交互開閉指タップタスクがある。図１８は、身体運動提示装置２に提示される両手開閉指タップタスク指示画面２６０ａの例を示した図、図１９は、両手交互開閉指タップタスク指示画面２６０ｂの例を示した図である。図１８および図１９に示されるように、両手を使う開閉指タップタスクでは、両手開閉指タップタスク指示画面２６０ａおよび両手交互開閉指タップタスク指示画面２６０ｂには、被験者が両手の２指の開閉運動をさせるための開閉運動指定領域２６１がそれぞれ２つ表示される。
【０１２４】
両手開閉指タップタスクと両手交互開閉指タップタスクとでは、被験者が両手を使って２指の開閉運動をさせ点で同じである。一方、両手開閉指タップタスクでは、両手同時に２指の開閉運動をさせるが、両手交互開閉指タップタスクでは、片手ずつ交互に２指の開閉運動をさせる点で異なっている。
【０１２５】
なお、以上の図１７〜図１９を用いて説明した開閉指タップタスクでは、２指の開閉運動には、とくに時間的な制限などを設けずに行うとしているが、リズムタッチタスクの場合のように、被験者に対する視覚刺激や聴覚刺激を生成し、それに合わせて２指を開閉させるようにしてもよい。
【０１２６】
（位置正確度、時系列正確度および認知障害度の算出）
図２０は、開閉指タップタスクが行われる場合に作成される２指間距離Ｌ（ｔ）の時間推移グラフの例を示した図である。
図１７〜図１９を用いて説明した開閉指タップタスクが行われる場合、指示・検出データ比較部３１（図１参照）は、検出データ取得部２１によって、例えば、１０ミリ秒ごとに取得される２指間距離Ｌ（ｔ）を用いて、図２０に示すような２指間距離Ｌ（ｔ）の時間推移グラフを作成する。なお、図２０のグラフにおいて、横軸は、開閉指タップタスク開始時からの経過時間を表し、縦軸は、経過時間ｔでの２指間距離Ｌ（ｔ）を表している。
【０１２７】
なお、開閉指タップタスクでは、２指を常に画面（タッチパネル）にタッチさせた状態で開閉させることを想定しているが、実際には、２指の開閉運動を行う中で片方または両方の指がその画面から離れる場合があり得る。このような場合には、取得される２指間距離Ｌ（ｔ）に欠損部３１１が生じるが、多くの場合、欠損部３１１は、スプライン補間など一般的な補間方法を用いて補間することができる。
【０１２８】
次に、位置正確度算出部３２は、図２０の２指間距離Ｌ（ｔ）の時間推移グラフから、１回ごとの２指開閉の振幅Ａｉ（１回ごとの指開閉動作で得られるＬ（ｔ）の最大値と最小値の差）を算出し、さらに、その標準偏差を算出する。そして、位置正確度算出部３２は、前記算出した振幅Ａｉの標準偏差をもって位置正確度ｍｄと定義する。
【０１２９】
また、時系列正確度算出部３３は、図２０の２指間距離Ｌ（ｔ）の時間推移グラフから、１回ごとの２指開閉の時間間隔ｔｉ（指開閉動作で得られるＬ（ｔ）の最大値または最小値から次の最大値または最小値に到るまでの時間）を算出し、さらに、その標準偏差を算出する。そして、この算出した時間間隔ｔｉの標準偏差をもって時系列正確度ｍＴと定義する。
【０１３０】
以上のようにして位置正確度ｍｄおよび時系列正確度ｍＴが求められると、認知障害度算出部４１は、前記実施形態で示した方法と同様の方法で認知障害度Ｓを計算することができる。また、認知障害度出力部４２は、その計算された認知障害度Ｓやその経時変化グラフ（図９参照）を液晶表示装置やプリンタなどの出力装置５に出力することができる。
【０１３１】
すなわち、被験者またはその介助者は、開閉指タップタスクを実施することにより、被験者の脳機能障害を含めた認知機能低下の程度（認知障害度Ｓ）を容易に評価することが可能になる。
【０１３２】
＜３．３  ５指タッチタスク＞
図２１は、身体運動提示装置２に提示される５指タッチタスク指示画面２７０の例を示した図である。
身体運動タスク選択画面１２０（図３参照）を介して５指タッチタスクが選択された場合には、身体運動指示部１０（図１参照）の指示データ提示部１３は、図２１に示すような５指タッチタスク指示画面２７０を身体運動提示装置２に表示する。このとき、５指タッチタスク指示画面２７０の中には、左右の５指それぞれに対応する１０個のタッチ指示領域２７１が、例えば、破線の円などで表示されている。
【０１３３】
次に、指示データ提示部１３は、１０個のタッチ指示領域２７１から１つを選択し、選択したタッチ指示領域２７１の位置にタッチ指示図形２７２を表示する。そこで、被験者は、表示されたタッチ指示図形２７２またはその位置のタッチ指示領域２７１にタッチする。なお、指示データ提示部１３は、被験者によりタッチ指示図形２７２がタッチされた場合、または、所定の時間が経過した場合には、それまで表示していたタッチ指示図形２７２を消去するとともに、別のタッチ指示領域２７１を選択し、その選択したタッチ指示領域２７１に新たにタッチ指示図形２７２を表示する。
【０１３４】
そして、指示データ提示部１３は、以上のような、タッチ指示領域２７１の１つを選択し、そのタッチ指示領域２７１の位置にタッチ指示図形２７２を表示し、被験者によるタッチを検出する、という動作を所定の回数繰り返す。その際、タッチ指示領域２７１は、所定の順序、例えば、指の並びの順序（左手の小指→薬指→中指→人差し指→親指→右手の小指→薬指→中指→人差し指→親指など）に従って選択してもよいし、ランダムな順序で選択してもよい。
【０１３５】
なお、タッチ指示領域２７１は、被験者の５指の位置にほぼ対応する位置に設けられ、被験者ごとにその位置をキャリブレーションしてもよい。キャリブレーションする場合には、被験者に当該表示画面（タッチパネル）に両手５指でタッチさせ、そのときタッチされた両手５指のそれぞれの位置に基づき、両手５指のタッチ指示領域２７１を設定する。
また、タッチ指示図形２７２の形状は、図２１に示したような円形に限定されず、両手５指のタッチが分離して検出できる形状であれば、他の形状であってもよい。
【０１３６】
（位置正確度、時系列正確度および認知障害度の算出）
以上に説明した５指タッチタスクでは、位置正確度ｍｄは、前記したリズムタッチタスクの場合と同様に、タッチ失敗率を計算することにより求められる。
すなわち、指示・検出データ比較部３１（図１参照）は、タッチ指示図形２７２が表示されるたびに、その表示に応じて被験者がタッチしたタッチ位置座標（Ｘ，Ｙ）を取得する。そして、そのタッチ位置座標（Ｘ，Ｙ）が先に表示したタッチ指示図形２７２またはその位置のタッチ指示領域２７１の中に含まれていた場合には、タッチ成功と判定し、そうでない場合には、タッチ失敗と判定する。次いで、位置正確度算出部３２は、タッチ失敗率（＝タッチ失敗回数／（タッチ成功回数＋タッチ失敗回数））を算出し、その算出したタッチ失敗率をもって位置正確度ｍｄと定義する。
なお、位置正確度ｍｄとして、タッチ成功率ではなくタッチ失敗率を用いるのは、前記したように、本明細書では、位置正確度ｍｄの意味を、値が小さいほど正確度が高くなると定めていることによる。
【０１３７】
また、時系列正確度ｍＴは、前記リーチングタスクの場合と同様に算出される。すなわち、時系列正確度算出部３３は、タッチ指示図形２７２が表示された時刻τｉと被験者がタッチ指示図形２７２またはその位置のタッチ指示領域２７１にタッチした時刻ｔｉとの差であるタッチ遅延時間Ｔｉの平均値（＝ΣＴｉ／Ｎ：Ｎは、タッチ指示図形２７２の表示回数）を算出し、その算出したタッチ遅延時間Ｔｉの平均値をもって時系列正確度ｍＴと定義する。
【０１３８】
以上のようにして位置正確度ｍｄおよび時系列正確度ｍＴが求められると、認知障害度算出部４１は、前記実施形態で示した方法と同様の方法で認知障害度Ｓを計算することができる。また、認知障害度出力部４２は、その計算された認知障害度Ｓやその経時変化グラフ（図９参照）を液晶表示装置やプリンタなどの出力装置５に出力することができる。
【０１３９】
すなわち、被験者またはその介助者は、５指タッチタスクを実施することにより、被験者の脳機能障害を含めた認知機能低下の程度（認知障害度Ｓ）を容易に評価することが可能になる。
【０１４０】
（５指タッチタスクの使用例）
図２２は、５指タッチタスクの一使用例を説明する図である。図２２に示すように、指示データ提示部１３は、まず、右手について、特定の順序でタッチ指示領域２７１を選択しつつ、タッチ指示図形２７２を表示していき、さらに、左手について、右手と同じ順序でタッチ指示領域２７１を選択しつつ、タッチ指示図形２７２を表示していく。例えば、左手で小指→中指→親指→人差し指→薬指→・・・というようにタッチ指示図形２７２を表示していった場合には、右手でも小指→中指→親指→人差し指→薬指→・・・というように同じ順序でタッチ指示図形２７２を表示していく。
【０１４１】
そこで、被験者は、まず、右手側に特定の順序で表示されるタッチ指示図形２７２に追従しながら、その表示されるタッチ指示図形２７２またはその位置のタッチ指示領域２７１を右手の指でタッチする。続いて、被験者は、左手側に同様の順序で表示される表示されるタッチ指示図形２７２に追従しながら、その表示されるタッチ指示図形２７２またはその位置のタッチ指示領域２７１を左手の指でタッチする。
【０１４２】
このような５指タッチタスクでは、その実施により得られる認知障害度Ｓにより、一方の手で学習した運動の効果が、他方の手でも現れるか否かという点について評価することが可能になる。例えば、一般的には、認知機能が低下すると、左右の運動野で一連の運動指令を転写する能力も低下すると信じられている。５指タッチタスクは、図２２のような使用の仕方をすれば、脳機能に関する一般的な常識や学説を実証するツールとしても使用可能となる。
【０１４３】
＜３．４  追跡タスク＞
図２３は、身体運動提示装置２に提示される追跡タスク指示画面２８０の例を示した図である。
身体運動タスク選択画面１２０（図３参照）を介して追跡タスクが選択された場合には、身体運動指示部１０（図１参照）の指示データ提示部１３は、図２３に示すような追跡タスク指示画面２８０を身体運動提示装置２に表示する。このとき、追跡タスク指示画面２８０の中には、左手用および右手用の２つの追跡ターゲット図形２８１ａ，２８１ｂが表示される。
【０１４４】
そして、指示データ提示部１３は、２つの追跡ターゲット図形２８１ａ，２８１ｂを追跡タスク指示画面２８０の中で互いにそれぞれ異なる軌跡２８２ａ，２８２ｂを描くように移動させる。被験者は、左右の指を追跡タスク指示画面２８０にタッチさせたまま、この２つの追跡ターゲット図形２８１ａ，２８１ｂをその動きに従ってそれぞれの指で追跡する。なお、２つの追跡ターゲット図形２８１ａ，２８１ｂは、互いに表示色や形状が異なってもよい。
【０１４５】
（位置正確度、時系列正確度および認知障害度の算出）
追跡タスクが実施されると、指示・検出データ比較部３１（図１参照）は、追跡ターゲット図形２８１ａ，２８１ｂが移動する位置座標（Ｘ０ｊ（ｔ），Ｙ０ｊ（ｔ））（ｊ＝Ｌ，Ｒ）と被験者の左右の指のタッチ位置座標（Ｘｊ（ｔ），Ｙｊ（ｔ））（ｊ＝ｌ，ｒ）との距離を求め、その距離をＬｊ（ｔ）（ｊ＝ｌ，ｒ）と表す。ここで、ｊ＝ｌは、左、ｊ＝ｒは、右を意味する。また、Ｌｌ（ｔ）を左手誤差、Ｌｒ（ｔ）を右手誤差と呼ぶ。
【０１４６】
続いて、位置正確度算出部３２は、左手誤差Ｌｌ（ｔ）の時間平均および右手誤差Ｌｒ（ｔ）の時間平均を算出し、さらに、これら算出した左手誤差Ｌｌ（ｔ）の時間平均と右手誤差Ｌｒ（ｔ）の時間平均の平均値をもって、位置正確度ｍｄと定義する。
【０１４７】
時系列正確度算出部３３の処理については、図２４を参照しながら説明する。
図２４は、追跡ターゲット図形の位置座標と被験者のタッチ位置座標との関係を、模式的な時間推移変化グラフの例として示した図であり、（ａ）は、Ｘ座標の時間推移変化の例、（ｂ）は、Ｙ座標の時間推移変化の例である。
【０１４８】
図２４（ａ）における破線３５１は、図２３に示された左側（または右側）の追跡ターゲット図形２８１ａ（または２８１ｂ）のＸ座標、すなわち、Ｘ０ｌ（ｔ）（またはＸ０ｒ（ｔ））の時間推移変化を表している。また、実線３５２は、被験者の左指（または右指）によるタッチ位置座標のＸ座標Ｘｌ（ｔ）（またはＸｒ（ｔ））の時間推移変化を表している。
同様に、図２４（ｂ）における破線３６１は、図２３に示された左側（または右側）の追跡ターゲット図形２８１ａ（または２８１ｂ）のＹ座標、すなわち、Ｙ０ｌ（ｔ）（またはＹ０ｒ（ｔ））の時間推移変化を表している。また、実線３６２は、被験者の左指（または右指）によるタッチ位置座標のＹ座標Ｙｌ（ｔ）（またはＹｒ（ｔ））の時間推移変化を表している。
【０１４９】
時系列正確度算出部３３は、追跡ターゲット図形２８１ａ（または２８１ｂ）のＸ座標が表す関数Ｘ０ｌ（ｔ）（またはＸ０ｒ（ｔ））と、被験者の左指（または右指）によるタッチ位置座標のＸ座標が表す関数Ｘｌ（ｔ）（またはＸｒ（ｔ））と、の間の相互相関関数ＦＸｌ（τ）（またはＦＸｒ（τ））を計算する。
同様に、時系列正確度算出部３３は、追跡ターゲット図形２８１ａ（または２８１ｂ）のＹ座標が表す関数Ｙ０ｌ（ｔ）（またはＹ０ｒ（ｔ））と、被験者の左指（または右指）によるタッチ位置座標のＹ座標が表す関数Ｙｌ（ｔ）（またはＹｒ（ｔ））と、の間の相互相関関数ＦＹｌ（τ）（またはＦＹｒ（τ））を計算する。
なお、相互相関関数は、２つの時系列信号のうち一方の信号を時間τだけずらしたとき両者の相関を評価する場合にしばしば用いられる関数である。
【０１５０】
以上の処理により、時系列正確度算出部３３は、４つの相互相関関数ＦＸｌ（τ）、ＦＸｒ（τ）、ＦＹｌ（τ）、ＦＹｒ（τ）を得る。そこで、時系列正確度算出部３３は、それぞれの相互相関関数ＦＸｌ（τ）、ＦＸｒ（τ）、ＦＹｌ（τ）、ＦＹｒ（τ）の値が最大になるずれの時間τＸｌ、τＸｒ、τＹｌ、τＹｒを算出する。
ここで、相互相関関数ＦＸｌ（τ）の値が最大になるずれ時間τＸｌとは、図２４（ａ）の破線３５１が表す関数Ｘ０ｌ（ｔ）と実線３５２が表す関数Ｘｌ（ｔ）とのうち一方を時間τＸｌだけずらしたとき、両者のグラフの一致度が最も大きくなることを意味する。
【０１５１】
従って、相互相関関数ＦＸｌ（τ）から得られたずれの時間τＸｌは、時系列正確度ｍＴを表す指標として好適であり、同様にして得られたずれの時間τＸｒ、τＹｌ、τＹｒも、時系列正確度ｍＴを表す指標として好適である。
そこで、時系列正確度算出部３３は、以上のようにして算出された４通りのずれの時間τＸｌ、τＸｒ、τＹｌ、τＹｒの平均をとって、追跡タスクにおける時系列正確度ｍＴと定義する。
【０１５２】
以上のようにして追跡タスクの場合について位置正確度ｍｄおよび時系列正確度ｍＴが求められると、認知障害度算出部４１は、前記リーチングタスクの実施形態で示した方法と同様の方法で認知障害度Ｓを計算することができる。また、認知障害度出力部４２は、その計算された認知障害度Ｓやその経時変化グラフ（図９参照）を液晶表示装置やプリンタなどの出力装置５に出力することができる。
【０１５３】
すなわち、被験者またはその介助者は、追跡タスクを実施することにより、被験者の脳機能障害を含めた認知機能低下の程度（認知障害度Ｓ）を容易に評価することが可能になる。
【０１５４】
＜４．実施形態の変形例＞
＜４．１  脳機能障害評価装置の構成の変形例＞
図２５は、本発明の実施形態の変形例に係る脳機能障害評価装置１００ａの全体構成の例を示した図である。図２５に示す脳機能障害評価装置１００ａは、図１に示した脳機能障害評価装置１００とほぼ同等の機能を、通信ネットワーク８によって相互に接続された端末装置１０１とサーバ装置１０２とに分離して実現したものである。
【０１５５】
脳機能障害評価装置１００ａでは、端末装置１０１は、被験者に身体運動を提示するとともに、被験者の身体運動のデータを取得する役割を果たす。また、サーバ装置１０２は、端末装置１０１によって取得された被験者の身体運動のデータを、通信ネットワーク８を介して受信し、その被験者の身体運動のデータに基づき、被験者の認知障害度を評価する役割を果たす。このことを除けば、脳機能障害評価装置１００ａの構成および機能は、図１に示した脳機能障害評価装置１００の構成および機能と同じであるので、以下では、主に相違する箇所についてのみ説明する。
【０１５６】
端末装置１０１のデータ処理装置１ａの構成は、図１の脳機能障害評価装置１００のデータ処理装置１から身体運動正確度算出部３０および認知障害度評価部４０が除外され、データ送受信部６０ａおよび認知障害度出力部７０が追加された構成となっている。さらに、端末装置１０１には、データ処理装置１ａと通信ネットワーク８とをつなぐ通信装置７ａが新たに設けられている。
【０１５７】
データ送受信部６０ａは、身体運動データ取得部２０で取得された被験者の身体運動の検出データやキャリブレーションデータを、通信装置７ａおよび通信ネットワーク８を介してサーバ装置１０２へ送信する。また、データ送受信部６０ａは、サーバ装置１０２で評価された被験者の認知障害度などのデータを受信する。そして、認知障害度出力部７０は、データ送受信部６０ａを介して受信したサーバ装置１０２による被験者の認知障害度などのデータを出力装置５に出力する。
【０１５８】
また、サーバ装置１０２は、データ処理装置１ｂ、操作入力装置４ｂ、出力装置５ｂ、記憶装置６、通信装置７ｂなどを含んで構成され、データ処理装置１ｂは、身体運動正確度算出部３０、認知障害度評価部４０、データ送受信部６０ｂなどを含んで構成される。データ送受信部６０ｂは、端末装置１０１から送信される被験者の身体運動の検出データやキャリブレーションデータを受信するとともに、認知障害度評価部４０で評価された被験者の認知障害度などのデータを端末装置１０１へ送信する。
【０１５９】
なお、以上のような構成を有する端末装置１０１は、医師や被験者またはその介助者などが有するパソコン、タブレット端末、スマートフォンなどで実現することができる。また、サーバ装置１０２は、高性能のパソコン、ワークステーション、汎用コンピュータなどにより実現することができる。また、１つのサーバ装置１０２に通信ネットワークを介して複数の端末装置１０１が接続されていても構わない。
【０１６０】
本実施形態の変形例に係る脳機能障害評価装置１００ａでは、端末装置１０１は、単に、被験者の身体運動のデータを取得して、その評価結果を表示するだけである。従って、例えば、端末装置１０１が紛失されても、被験者の認知障害度のデータが流出することはない。また、被験者の認知障害度などの評価結果は、サーバ装置１０２の記憶装置６に格納されるので、関係する医師、看護師、介護者などアクセスし易くなる。また、サーバ装置１０２を設けたことにより、脳機能障害評価装置１００ａを、電子カルテシステム、投薬記録システム、健康管理システムなど、他の医療情報・健康情報を管理するシステムと接続することが容易となる。
＜４．２  その他の変形例＞
以上に説明した本発明の実施形態およびその変形例では、脳機能障害評価装置１００，１００ａは、複数の身体運動タスクの名称が表示された身体運動タスク選択画面１２０（図３参照）を介して、被験者に１つの身体運動タスクを選択させ、選択された１つの身体運動タスクを被験者に実施させるものとしている。この場合、被験者に複数の身体運動タスクを選択させるようにしてもよい。そうした場合には、認知障害度評価部４０は、それぞれの身体運動タスクに応じて複数の認知障害度Ｓ算出することになるが、そのそれぞれの認知障害度Ｓを身体運動タスクに対応付けて記憶装置６に格納してもよい。あるいは、複数の認知障害度Ｓの平均や加重平均を取った総合的な認知障害度Ｓを新たに計算した上で、その結果を記憶装置６に格納してもよい。
【０１６１】
また、脳機能障害評価装置１００，１００ａから身体運動タスク選択部１１を削除して、予め定められた特定の１つまたは複数の身体運動タスクだけを被験者に実施させるものとしてもよい。
【０１６２】
なお、本発明は、以上に説明した実施形態に限定されるものでなく、さらに様々な変形例が含まれる。例えば、前記の実施形態は、本発明を分かりやすく説明するために、詳細に説明したものであり、必ずしも説明したすべての構成を備えるものに限定されるものではない。また、ある実施形態の構成の一部を他の実施形態の構成の一部で置き換えることが可能であり、さらに、ある実施形態の構成に他の実施形態の構成の一部または全部を加えることも可能である。
【符号の説明】
【０１６３】
１，１ａ，１ｂ      データ処理装置
２      身体運動提示装置
３      身体運動検出センサ
４，４ｂ    操作入力装置
５，５ｂ    出力装置
６      記憶装置
７ａ，７ｂ  通信装置
８      通信ネットワーク
１０    身体運動指示部
１１    身体運動タスク選択部
１２    指示データ生成部
１３    指示データ提示部
２０    身体運動データ取得部
２１    検出データ取得部
２２    キャリブレーション部
３０    身体運動正確度算出部
３１    指示・検出データ比較部
３２    位置正確度算出部
３３    時系列正確度算出部
４０    認知障害度評価部
４１    認知障害度算出部
４２    認知障害度出力部
６０ａ，６０ｂ    データ送受信部
７０    認知障害度出力部
１００．１００ａ  脳機能障害評価装置
１０１  端末装置
１０２  サーバ装置
１１０  被験者登録情報表示画面
１２０  身体運動タスク選択画面
１２１  チェックマーク
２１０，２１０ａ  リーチングタスク指示画面
２１１  黒丸図形
２１２，２２２  十字型図形
２１３，２２５，２２８，２３１，２４１，２５１  円形図形
２３０    片手リズムタッチタスク指示画面
２３０ａ  両手リズムタッチタスク指示画面
２３０ｂ  両手交互リズムタッチタスク指示画面
２４０    片手リズムタッチタスク指示画面
２４０ａ  両手リズムタッチタスク指示画面
２４０ｂ  両手交互リズムタッチタスク指示画面
２４２    タッチ指示図形
２５０    メトロノーム型リズムタッチタスク指示画面
２５２    振り子
２５３    扇形図形
２６０    片手開閉指タップタスク指示画面
２６０ａ  両手開閉指タップタスク指示画面
２６０ｂ  両手交互開閉指タップタスク指示画面
２６１    扇型図形
２６１    開閉運動指定領域
２６２，２６３  両端矢線
２７０    ５指タッチタスク指示画面
２７１    タッチ指示領域
２７２    タッチ指示図形
２８０    追跡タスク指示画面
２８１ａ  追跡ターゲット図形
２８２ａ  軌跡
３０１，３０５  軸
３１０  直線
３１１  欠損部
３５１  破線
３５２  実線
【図１】
2015037089.tif 000009
【図２】
2015037089.tif 000010
【図３】
2015037089.tif 000011
【図４】
2015037089.tif 000012
【図５】
2015037089.tif 000013
【図６】
2015037089.tif 000014
【図７】
2015037089.tif 000015
【図８】
2015037089.tif 000016
【図９】
2015037089.tif 000017
【図１０】
2015037089.tif 000018
【図１１】
2015037089.tif 000019
【図１２】
2015037089.tif 000020
【図１３】
2015037089.tif 000021
【図１４】
2015037089.tif 000022
【図１５】
2015037089.tif 000023
【図１６】
2015037089.tif 000024
【図１７】
2015037089.tif 000025
【図１８】
2015037089.tif 000026
【図１９】
2015037089.tif 000027
【図２０】
2015037089.tif 000028
【図２１】
2015037089.tif 000029
【図２２】
2015037089.tif 000030
【図２３】
2015037089.tif 000031
【図２４】
2015037089.tif 000032
【図２５】
2015037089.tif 000033
【国際調査報告】
2015037089.tif 000034
2015037089.tif 000035
2015037089.tif 000036
2015037089.tif 000037